(57)【要約】【課題】屋内はもちろん、屋外で使用しても、長期にわたって汚水排出管の振動を室内に伝えることのない、防振加工を施したインサートを提供する。【解決手段】本発明にかかる第一のインサートは、本体(1)の開口(11)を残して該本体の外面に弾性被覆(2)を備えて成り、該本体に外部から伝達される振動は該弾性被覆に吸収されて壁体に伝わることがなく、室内の居住者に不快な振動や騒音を及ぼさない。また、本発明にかかる第二のインサートは、本体(1)の開口(11)を囲んで該本体の外周部に筒体(3)の一端部を嵌合し、該筒体の他端部の取付口(31)を残して該本体及び該筒体の外面に弾性被覆(2)を備えて成り、壁体の表面から奥まったところにインサートが埋設され、従って壁面を流下する雨水による腐食を防げ、該筒体や該本体に外部から伝達される振動は該弾性被覆に吸収されて壁体に伝わることがなく、室内の居住者に不快な振動や騒音を及ぼさない。【選択図】図１
2005180016.tif 000002
【特許請求の範囲】
【請求項１】
本体(1)の開口(11)を残して該本体(1)の外面に弾性被覆(2)を備えて成ることを特徴とするインサート。
【請求項２】
本体(1)の開口(11)を囲んで該本体(1)の外周部に筒体(3)の一端部を嵌合し、該筒体(3)の他端部の取付口(31)を残して該本体(1)及び該筒体(3)の外面に弾性被覆(2)を備えて成ることを特徴とするインサート。
【請求項３】
該本体(1)は一端に該開口(11)のある筒部(12)とその他端のフランジ(13)を備えている請求項１又は２に記載のインサート。
【請求項４】
該弾性被覆(2)は該本体(1)と別個の成形品(21)である請求項１に記載のインサート。
【請求項５】
該弾性被覆(2)は該本体(1)と一体となった付着品(22)である請求項１に記載のインサート。
【請求項６】
該成形品(21)は該筒部(12)の挿入孔(23)と該挿入孔(23)に続く該フランジ(13)の収納部(24)を有し、該収納部(24)は、該挿入孔(23)と反対側で、内寸(d)が該フランジ(13)の外寸(D)より小さい受入口(25)に続いている請求項４に記載のインサート。
【請求項７】
該受入口(25)の縁部(26)はその一部に切欠部(27)を有している請求項６に記載のインサート。
【請求項８】
該弾性被覆(2)は該本体(1)及び該筒体(3)と一体となった付着品(32)である請求項２に記載のインサート。
【請求項９】
該弾性被覆(2)はプラスチック製である請求項１〜８の一つの項に記載のインサート。
【請求項１０】
該弾性被覆(2)はゴム製である請求項１〜８の一つの項に記載のインサート。
【請求項１１】
該ゴムは硬度が６０度である請求項１０に記載のインサート。
【発明の詳細な説明】
【技術分野】
【０００１】
本発明はインサートに係り、建造物、構造物その他の物（以下「建造物等」という。）に配設される汚水排出のための配管の支持具を、建造物等に設けられて支持するものであって、配管から発生する振動や騒音等を建造物等に伝導しない類のものに関する。
【背景技術】
【０００２】
比較的古いビルの場合、汚水排出用管はビルの外壁面に沿って設けられている。最近のビルや、大型のビルでは、室内空間あるいは壁体内空間を利用して汚水排出管を配設する場合もある。いずれにしても、汚水排出管は次のようにしてビルに設置される。
【０００３】
図９に例示した通り、ビルの壁体６１にその壁面６２を通してその高さ方向に適当な間隔でアンカー６３を埋設し、このアンカー６３からアーム６４を突き出させる。このアーム６４と同軸線上に連結杆６５を配し、両者の対向端部を箱枠６６に頭部６７、６８により脱出できないようにして挿入し、連結杆６５の頭部６８と箱枠６６間に緩衝材６９を介装する。この連結杆６５の端部の取付板７０を汚水排出管７１に対設したパイプバンド７２の一対の耳片７３で挟む。両耳片７３と取付板７０の透孔にボルト７４を挿通し、ナット７５で締め付ければ、汚水排出管７１が壁面６２から離れて壁体６１に支持される。
【０００４】
その他、排水管の振動を防止するための工夫として、排水管内に工作を施すもの、排水管と床版にあけた支持穴の周面の間に弾性材を配するもの（特開２００３−５６７４４号公報）、排水管支持バンドの内周面に弾性材を施すもの(特開２００１−３４８９２６号公報)が知られている。
【特許文献１】特開２００３−５６７４４号公報
【特許文献２】特開２００１−３４８９２６号公報
【発明の開示】
【発明が解決しようとする課題】
【０００５】
水洗トイレの場合、汚水は一時に大量が流れる。流れ方も一様でなく、管壁に衝突を繰り返しながら流下する場合もあるので、汚水排出管は振動し、振動の発生に伴って騒音も発生する。従来の汚水排出管は壁体に剛結されているので、この振動がパイプバンド、アーム、アンカーを介して壁体に伝わり、更に室内に振動や騒音が伝わってくる。病棟や住宅棟ではもちろんのこと、事務所用のビルであっても、このような振動や騒音は居住者に不快感を与える。
【０００６】
特開２００３−５６７４４号公報のものは排水管と支持穴の周面間に弾性材を配するものであるため、壁面の外面に沿って配管する場合に採用できない。また、特開２００１−３４８９２６号公報のものは、パイプバンドに弾性材を施してあるので、屋内使用の場合はともかく、屋外で使用する場合、風雨等の影響で弾性材が経時変化で収縮固化し、支持面にがたつきが生じて騒音が発生する。
本発明は、屋内はもちろん、屋外で使用しても、長期にわたって汚水排出管の振動を室内に伝えることのない、防振加工を施したインサートを提供することを目的とする。
【課題を解決するための手段】
【０００７】
本発明にかかる第一のインサートは、本体の開口を残して該本体の外面に弾性被覆を備えて成る。
【０００８】
本発明にかかる第二のインサートは、本体の開口を囲んで該本体の外周部に筒体の一端部を嵌合し、該筒体の他端部の取付口を残して該本体及び該筒体の外面に弾性被覆を備えて成る。
【０００９】
該本体は一端に該開口のある筒部とその他端のフランジを備えていてもよい。
【００１０】
該弾性被覆は該本体と別個の成形品であってもよい。
【００１１】
該弾性被覆は該本体と一体となった付着品であってもよい。
【００１２】
該成形品は該筒部の挿入孔と該挿入孔に続く該フランジの収納部を有し、該収納部は、該挿入孔と反対側で、内寸が該フランジの外寸より小さい受入口に続いていてもよい。
【００１３】
該受入口の縁部はその一部に切欠部を有していてもよい。
【００１４】
該弾性被覆は該本体及び該筒体と一体となった付着品であってもよい。
【００１５】
該弾性被覆はプラスチック製であってもよい。
【００１６】
該弾性被覆はゴム製であってもよい。
【００１７】
該ゴムは硬度が６０度であってもよい。
【発明の効果】
【００１８】
本発明にかかる第一のインサートは、本体の開口を残して該本体の外面に弾性被覆を備えて成るので、該本体に外部から伝達される振動は該弾性被覆に吸収されて壁体に伝わることがなく、室内の居住者に不快な振動や騒音を及ぼさない。
【００１９】
本発明にかかる第二のインサートは、本体の開口を囲んで該本体の外周部に筒体の一端部を嵌合し、該筒体の他端部の取付口を残して該本体及び該筒体の外面に弾性被覆を備えて成るので、壁体の表面から奥まったところにインサートが埋設され、従って壁面を流下する雨水による腐食を防げ、該筒体や該本体に外部から伝達される振動は該弾性被覆に吸収されて壁体に伝わることがなく、室内の居住者に不快な振動や騒音を及ぼさない。
【００２０】
該本体は一端に該開口のある筒部とその他端のフランジを備えていると、弾性被覆との付着性がよく、剥れる恐れが非常に少なくなる。
【００２１】
該弾性被覆は該本体と別個の成形品であると、両者の一体化作業に場所的な制約を受けない。
【００２２】
該弾性被覆は該本体と一体となった付着品であると、該弾性被覆を液状体にしておくことにより、該本体を該液状体に浸漬するだけで簡単に被覆製品を製造できる。
【００２３】
該成形品は該筒部の挿入孔と該挿入孔に続く該フランジの収納部を有し、該収納部は、該挿入孔と反対側で、内寸が該フランジの外寸より小さい受入口に続いていると、該本体の該筒部を該挿入孔に該受入口から挿入し、該受入口の口縁を広げて該フランジを該収納部に収納することにより、該本体に該成形品を簡単かつ密接に被せることができる。
【００２４】
該受入口の縁部はその一部に切欠部を有していると、該縁部を該切欠部の端で外方へ拡げて該受入口を拡げられるので、該収納部に対する該フランジの収納が容易となる。
【００２５】
該弾性被覆は該本体及び該筒体と一体となった付着品であると、該本体及び該筒体に対する該弾性被覆の施工が容易で、一体化も確実に行われ、離脱したりする恐れがない。
【００２６】
該弾性被覆はプラスチック製であると、腐食されることがほとんどないので、壁体に長期間埋設されていてもその効能の劣化の恐れがない。
【００２７】
該弾性被覆はゴム製であると、壁体によく馴染み、振動の吸収が極めて効果的である。
【００２８】
該ゴムは硬度が６０度であると、汚水排出管の支持が十分で、振動吸収効果も良好である。
【発明を実施するための最良の形態】
【００２９】
全図を通し、同一符号は同一若しくは相応部分を示す。
図１は本発明にかかる第一のインサートの具体例を示してある。１は本体、１１はその開口、２は弾性被覆である。この弾性被覆２は本体1の開口１１を残して、即ち開口１１を塞ぐことなく、本体１の外面を被覆している。
このインサートの型枠４１に対する取付けは、例えば次のようにしてなされる。型枠４１に穿った取付孔４２にボルト４３のねじ棒４４を挿通し、型枠４１の反対側でこのねじ棒４４にナット３５を螺合して締め付け、ボルト４３を型枠４１に取付ける。このボルト４３に本体１の開口１１を螺合して締め付ける。
インサートの取付けが終わったら型枠４１内にコンクリート４６を流し込み、その固化を待ってインサートの埋設された製品が得られる。
図８はこの製品が壁体４７として供用されたものである。この壁体４７に沿って配設される汚水排出管４８の支持にこのインサートが利用される。
このインサートを壁面４９上で適当な間隔を保って壁体４７に埋設する。これらのインサートのそれぞれから、先端に板状の取付片５を備えたアーム５１を突き出させる。汚水排出管４８にはそれぞれのアーム５１に対向してパイプバンド５２を巻きつけ、各パイプバンドの一対の耳片５３、５３でアームの板状の取付片５を挟む。取付片５、両耳片５３、５３にはボルト挿通孔を穿ってあるので、これらのボルト挿通孔を合致させてボルト・ナット５４で締め付ければ、汚水排出管４８が壁面４９から離れて壁体４７に支持される。
汚水排出管４８に汚水が一時に大量流されると、汚水排出管４８は振動し、騒音を発生する。この振動はパイプバンド５２、アーム５１を伝って本体１に伝達される。本体１の周りは弾性被覆２で覆われているので、この振動はこの弾性被覆２に吸収され、壁体４７には伝わらない。そのため室内に振動が伝わらず、騒音も発生せず、居住者に不快感を与えない。
【００３０】
図２は本発明にかかる第二のインサートの具体例を示してある。１は本体、３は本体１の開口１１を囲んでこの本体１の外周部に嵌合した筒体で、この筒体３の他端部の取付口３１を残して本体１及び筒体３の外面に弾性被覆２を備えて成っている。
第一のインサートとの違いは筒体３がある点で、壁体４７の壁面４９から奥まった場所に開口１１を位置させられることである。壁面４９を伝って流れ落ちる雨水に開口１１が曝されないので、耐腐食性が向上する。その他の作用効果については第一のインサートについて述べたことがこの第二のインサートの場合にも適合するので、説明は省略する。
【００３１】
本体１は一端に開口１１のある筒部１２とその他端のフランジ１３を備えている。この場合、弾性被覆２との付着性がよく、剥れる恐れが非常に少なくなる。
【００３２】
弾性被覆２は本体１と別個の成形品２１となっている。この場合、弾性被覆２と本体１の一体化作業に場所的な制約を受けない。
【００３３】
弾性被覆２は本体１と一体となった付着品２２となっている。この場合、弾性被覆２を液状体にしておくことにより、本体１を液状体に浸漬するだけで簡単に被覆製品を製造できる。
【００３４】
成形品２１は筒部１２の挿入孔２３とこの挿入孔２３に続くフランジ１３の収納部２４を有し、この収納部２４は、挿入孔２３と反対側で、内寸ｄがフランジ１３の外寸Ｄより小さい受入口２５に続いている。この場合、本体１の筒部１２を挿入孔２３に受入口２５から挿入し、受入口２５の口縁を広げてフランジ１３を収納部２４に収納することにより、本体１に成形品２１を簡単かつ密接に被せることができる。
【００３５】
受入口２５の縁部２６はその一部に切欠部２７を有している。この場合、縁部２６を切欠部２７の端で外方へ拡げて受入口２５を拡げられるので、収納部２４に対するフランジ１３の収納が容易となる。
【００３６】
弾性被覆２は本体１及び筒体３と一体となった付着品３２となっている。この場合、本体１及び筒体３に対する弾性被覆２の施工が容易で、一体化も確実に行われ、離脱したりする恐れがない。
【００３７】
弾性被覆２はプラスチック製となっている。この場合、腐食されることがほとんどないので、壁体４７に長期間埋設されていてもその効能の劣化の恐れがない。
【００３８】
弾性被覆２はゴム製となっている。この場合、壁体４７によく馴染み、振動の吸収が極めて効果的である。
【００３９】
該ゴムは硬度が６０度となっている。この場合、汚水排出管４８の支持が十分で、振動吸収効果も良好である。
【図面の簡単な説明】
【００４０】
【図１】本発明にかかる第一のインサートの具体例を示す半分切断面図である。
【図２】本発明にかかる第二のインサートの具体例を示す半分切断面図である。
【図３】本体の半分切断面図である。
【図４】図３の底面図である。
【図５】弾性被覆の半分切断面図である。
【図６】図５の底面図である。
【図７】本発明にかかる第一のインサートの別の具体例を示す半分切断面図である。
【図８】本発明にかかる第一のインサートの具体例の使用状態を示す図である。
【図９】従来のインサートの使用状態を示す図である。
【符号の説明】
【００４１】
１      本体
１１    開口
１２    筒部
１３    フランジ
２      弾性被覆
２１    成形品
２２、３２  付着品
２３    挿入孔
２４    収納部    
２５    受入口    
２６    縁部
２７    切欠部
３      筒体
３１    取付口
【図１】
2005180016.tif 000003
【図２】
2005180016.tif 000004
【図３】
2005180016.tif 000005
【図４】
2005180016.tif 000006
【図５】
2005180016.tif 000007
【図６】
2005180016.tif 000008
【図７】
2005180016.tif 000009
【図８】
2005180016.tif 000010
【図９】
2005180016.tif 000011